(57)【特許請求の範囲】
【請求項１】
外部端子を受け入れるように開口するコネクタ本体であって、
コネクタとして作られるハウジング本体と、
このハウジング本体に設けられた開口を覆う戸板体と、を備え、
前記ハウジング本体は、
前記外部端子の大きさと形状に対応した大きさと形状を有し、当該外部端子に接触する第１接触子が露出する第１開口と、
前記第１接触子が接続された第１導線を導出し、前記第１開口と直交する方向に開口する第２開口と、
前記第２開口につながると共に前記第１開口に対向する第３開口と、
前記第２開口から仕切り壁で隔てられて前記第３開口につながる第４開口であって、前記外部端子に接触する第２接触子が接続された第２導線を導出し、前記第２開口と並列に開口している第４開口と、を有し、
前記第３開口は対向する一対の端部で規定され、これら一対の端部は当該一対の端部が延出する方向に沿った一対の第１凹部を有し、これらの第１凹部は前記第２開口に導出する前記第１導線及び前記第４開口に導出する前記第２導線の導出方向と並行しており、
前記戸板体は、対向する端部に配設された一対の第１凸部が前記一対の第１凹部に対応するように係合して、前記第３開口の上方をスライドして当該前記第３開口を閉じ、
前記仕切り壁は、上部に位置する一対の第２凹部を含み、
前記戸板体の前端から形成されるスリットの両面に設けられ、かつ、前記戸板体の対向する前記一対の端部の間から並列している第２凸部に前記一対の第２凹部が係合することにより、前記仕切り壁の上面が戸板体の外面に当接、又は戸板体の外面と離間していることを特徴とするコネクタ本体。
【請求項２】
前記仕切り壁は、当該戸板体を停止する第１係止部を備え、
前記戸板体が前記ハウジング本体を覆うときに前記スリットの終端面が前記第１係止部に当接することを特徴とする請求項１記載のコネクタ本体。
【請求項３】
前記仕切り壁は、内部表面に設けられた第２係止部を含み、
前記戸板体が前記ハウジング本体を覆ったときに前記第２係止部は、当該戸板体が後退することを防止することを特徴とする請求項１又は２記載のコネクタ本体。
【請求項４】
前記ハウジング本体は、箱状の６面体からなり、
前記第１接触子は、前記６面体の第１面に配置され、
前記第２開口は、前記６面体の第２面に配置され、
前記第３開口は、前記６面体の第３面に配置されていることを特徴とする請求項１から３のいずれかに記載のコネクタ本体。
【請求項５】
前記外部端子に接続されたとき、前記第１接触子は、当該外部端子により機械的に拘束され、前記ハウジング本体は、前記第１接触子を介して前記外部端子により機械的に拘束されることを特徴とする請求項１から４のいずれかに記載のコネクタ本体を有するコネクタ。
【発明の詳細な説明】
【０００１】
【発明の属する技術分野】
本発明は、コネクタ又はコネクタ前駆体の構造に関し、より具体的には、コネクタ又はコネクタ前駆体の構造であって、戸板体又はハウジングパーツが、ハウジング本体の開口を蓋するコネクタ又はコネクタ前駆体の構造に関する。
【０００２】
【従来の技術】
従来、電気信号などを伝えるコネクタとしては、図１２に示すようなコネクタ９００がある。このコネクタ９００は、ハウジング本体９０２と、外部端子に接続される接触子９１０と、このハウジング本体９０２を蓋してコネクタ９００とする蓋９０４と、外部からの信号を伝える同軸ケーブル９１２と、から構成される。この蓋９０４は、ハウジング本体９０２の側面のやや内側につけられたガイド９１４に従い、上からかぶさるようにハウジング本体９０２に蓋をするように組付けられ、コネクタ９００を構成する。このとき、ケーブルのコネクタ内の接続が容易にいつでもできるように、通常、ハウジング本体９０２と蓋９０４とは、ガイド９１４と蓋９０４との嵌合により固定され、溶接や接着等は行われない。同軸ケーブル９１２は、ハウジング本体９０２の半円形の開口９０６ａ及び蓋９０４の半円形の開口９０６ｂが組合わさってできる開口９０６を通ってコネクタ９００内部から導出される。
【０００３】
【発明が解決しようとする課題】
しかし、このようなハウジング構造を有するコネクタでは、特にコネクタ９００を外部端子から引き抜くときやケーブルの引き回しのとき、ケーブル９１２が引張られ、その引張られる方向によっては、蓋９０４にハウジング本体９０２から離脱させるような力がかかることがあり、これによってコネクタ９００が分解されてしまうおそれがある。即ち、ケーブル９１２を図中上方に引張れば、開口９０６の蓋側９０６ｂに上向きの力が働き、これによってハウジング本体９０２の蓋９０４がこじ開けれれてしまうのである。それを防止するには、ハウジング９０２のロック力を挙げるためロック９１４を大きくしたり、ロックの係り量をふやすことも可能であるが、組立ての作業性が悪化するばかりでなく、コネクタ本体の巨大化というデメリットが生ずるおそれがある。また、一度閉めた蓋は、破壊しない限り再び開けることができないような構造となってしまう場合もある。
【０００４】
本発明は、以上のような課題に鑑み、コネクタの接続や切り離し時にコネクタが分解しないコネクタであって、かつ、いつでもこの蓋を容易にはずすことができるコネクタ及びコネクタ前駆体を提供することを目的とする。
【０００５】
以上のような課題に鑑み、コネクタ分解の原因を究明したところ、開口９０６を押し開く（半円形開口９０６ａ及び半円形開口９０６ｂを上下に押し開く）力が接続時等に働くためと考えられるが、それは、作業者がコネクタ９００を持つときに同時にケーブル９１２をつかみ、或いは、ハウジング本体と蓋の合体を持たずケーブル９１２だけを持って、ケーブル９１２をハウジング本体と蓋の合体に対して上下左右に動かすためであることを見出した。即ち、ハウジング本体と蓋の合体の開口９０６がある面に含まれる方向の力が開口９０６を押し開き、合体から蓋を外してしまうことになるのである。
【０００６】
【課題を解決するための手段】
そこで、本発明においては、このような開口を押し開く力の方向が、ハウジング本体から蓋を外す方向とは異なるものであることを特徴とする。或いは、このような開口を押し開く力の方向が、ハウジング本体から蓋を外す方向に対して略直角になるようにしたことを特徴とする。また、このような開口を押し開く力の方向が、ハウジング本体に蓋を嵌める方向とは異なるものであることを特徴とする。或いは、このような開口を押し開く力の方向が、ハウジング本体に蓋を嵌める方向に対して略直角になるようにしたことを特徴とする。
【０００７】
より具体的には、本発明は、以下のようなものを提供する。
【０００８】
（１）  外部端子に接続をするためのコネクタの製造用のコネクタ前駆体であって、ハウジング本体と、このハウジング本体を蓋してコネクタとする戸板体とから成り；前記ハウジング本体は、接続される外部端子の大きさ・形状に対応して開口し、当該外部端子に接触する接触子が露出している第１の開口と、導線が導出されている第２の開口と、を備え；前記第２の開口につながる第３の開口を覆って前記ハウジング本体を蓋する際の前記戸板体の動作方向が、前記第２の開口において導出されている導線がフレキシブルに動く方向とは異なるものであるコネクタ前駆体。
【０００９】
（２）  前記ハウジング本体は、前記戸板体に設けられた第１の凹部をスライドする第１の凸部若しくは端部を有することを特徴とする上記（１）に記載のコネクタ前駆体。
【００１０】
（３）  前記ハウジング本体は、前記戸板体に設けられた第２の凸部若しくは端部をスライドさせる第２の凹部を有することを特徴とする上記（１）又は（２）に記載のコネクタ前駆体。
【００１１】
（４）  前記第２の開口は、仕切壁により前記第３の開口につながっている第２ａの開口及び第２ｂの開口に分けられ；前記仕切壁は、前記戸板体が前記ハウジング本体を蓋する際に前記戸板体の第３の凸部若しくは端部をスライドさせる第３の凹部を有することを特徴とする上記（１）〜（３）のいずれかに記載のコネクタ前駆体。
【００１２】
（５）  前記第２の開口は、仕切壁により前記第３の開口につながっている第２ａの開口及び第２ｂの開口に分けられ；前記仕切壁は、前記戸板体が前記ハウジング本体を蓋する際に前記戸板体の第４の凹部にスライドする第４の凸部若しくは端部を有することを特徴とする上記（１）〜（３）のいずれかに記載のコネクタ前駆体。
【００１３】
（６）  前記ハウジング本体は、前記戸板体が前記ハウジング本体を蓋する際に前記戸板体を係止させる係止部を有することを特徴とする上記（１）〜（５）のいずれかに記載のコネクタ前駆体。
【００１４】
（７）  外部端子に接続をするためのコネクタの製造用のコネクタ前駆体であって、ハウジング本体と、このハウジング本体を蓋してコネクタとするハウジングパーツとから成り；前記ハウジング本体は、ケーブルが導出される第２の開口を備え、前記第２の開口につながる第３の開口を覆って前記ハウジング本体を蓋する際の前記ハウジングパーツの動作方向（「動作方向」）が、前記第２の開口を押し広げる方向（「押広方向」）に略直角となるようにしたコネクタ前駆体。
【００１５】
（８）  前記ハウジング本体は、前記ハウジングパーツに設けられた第５の凹部をスライドする第５の凸部若しくは端部を有することを特徴とする上記（７）に記載のコネクタ前駆体。
【００１６】
（９）  前記ハウジング本体は、前記ハウジングパーツに設けられた第６の凸部若しくは端部をスライドさせる第６の凹部を有することを特徴とする上記（７）又は（８）に記載のコネクタ前駆体。
【００１７】
（１０）  前記第２の開口は、仕切壁により前記第３の開口につながっている第２ａの開口及び第２ｂの開口に分けられ、前記仕切壁は、前記戸板体が前記ハウジング本体を蓋する際に前記ハウジングパーツの第７の凸部若しくは端部をスライドさせる第７の凹部を有することを特徴とする上記（７）〜（９）のいずれかに記載のコネクタ前駆体。
【００１８】
（１１）  前記第２の開口は、仕切壁により前記第３の開口につながっている第２ａの開口及び第２ｂの開口に分けられ、前記仕切壁は、前記戸板体が前記ハウジング本体を蓋する際に前記ハウジングパーツの第８の凹部にスライドする第８の凸部若しくは端部を有することを特徴とする上記（７）〜（９）のいずれかに記載のコネクタ前駆体。
【００１９】
（１２）  前記ハウジング本体は、前記ハウジングパーツが前記ハウジング本体を蓋する際に前記ハウジングパーツを係止させる係止部を有することを特徴とする上記（７）〜（１１）のいずれかに記載のコネクタ前駆体。
【００２０】
（１３）  外部端子に接続をするためのコネクタの製造用のコネクタ前駆体であって、ハウジング本体と、このハウジング本体を蓋してコネクタとするハウジングパーツとから成り；前記ハウジング本体は、ケーブルが導出される第２の開口を備え；前記ハウジングパーツが、前記外部端子に接続するための接触子と前記ケーブルとの間に位置する所定の分割面に従って、前記ハウジング本体を蓋する際の前記ハウジングパーツの動作方向（「動作方向」）が、前記ケーブルと前記接触子を引き離す力の方向（「引離方向」）に略直角になっていることを特徴とするコネクタ前駆体。
【００２１】
（１４）  外部端子に接続をするためのコネクタの製造用のコネクタ前駆体であって、ハウジング本体と、このハウジング本体を蓋してコネクタとするハウジングパーツとから成り；前記ハウジング本体は、ケーブルが導出される第２の開口を備え；前記ハウジングパーツが、前記第２の開口から隔たった第３の開口を覆って前記ハウジング本体を蓋することを特徴とするコネクタ前駆体。
【００２２】
（１５）  前記ハウジング本体が、箱状の６面体であり、その第１の面に前記接触子が配置され、第２の面に前記第２の開口が配置され、第３の面に前記第３の開口が配置されていることを特徴とする上記（１）〜（６）又は（１３）のいずれかに記載のコネクタ前駆体。
【００２３】
（１６）  前記接触子は、前記外部端子に接続されたとき、該外部端子により機械的に拘束され、前記ハウジング本体が、前記接触子を介して前記外部端子により機械的に拘束されていることを特徴とする上記（１）〜（６）、（１３）又は（１５）のいずれかに記載のコネクタ前駆体を用いたコネクタ。
【００２４】
（１７）  外部端子に接続をするためのコネクタであって、該外部端子に接続される接触子と、ハウジング本体と、このハウジング本体を蓋してコネクタとするハウジングパーツと、を含み；第３の開口を覆って前記ハウジング本体を蓋する際の前記ハウジングパーツの動作方向（「動作方向」）が、前記外部端子から当該コネクタを引き離す方向（「引離方向」）に略直角になっていることを特徴とするコネクタ。
【００２５】
ここで、外部端子とは、本発明にかかるコネクタが接続される端子をいい、当該コネクタから独立して存在するものであってよく、電源端子、コンセント、ジャック、プラグ等、いかなる種類の端子をも含んでよい。また、接続するとは、端子の目的に即した接続が行われることであってよく、例えば、電力供給や電気信号等の伝達のための接続であってよい。コネクタ前駆体とは、コネクタの部品であって、コネクタを形作るものが相当してよく、例えば、ハウジング、筐体、フレーム等が相当してよい。従って、このコネクタ前駆体にその他の部品を組み込んでコネクタが作られる。ハウジング本体とは、ハウジングの主な部品であって、筐体と呼ばれることがあってよく、その他の部品と組み合わさってハウジングを形成するものであってもよい。ハウジング本体を蓋することは、ハウジング本体に開口があり、その開口を覆うことを意味してよい。従って、ハウジング本体を蓋してコネクタとすることは、最終段階若しくはそれに近い段階で蓋をすることによりコネクタが完成することを意味すると考えてもよい。戸板体とは、ハウジング本体を蓋する部品のことであってよく、プレート状の形状若しくはそれに準ずるような形状をしていてよい。
【００２６】
ハウジング本体が接続される外部端子の大きさ・形状に対応して開口しているということは、ハウジング本体に開口している部分があり、その開口している部分の大きさが、接続される外部端子の大きさ・形状に合うように形成されていることであってよい。開口とは、その部分に障害となるものがなく、外部端子がハウジング本体内部に入っていくことができることを意味してもよい。当該外部端子に接触する接触子というのは、外部端子にコネクタが本来伝達すべき電気、信号、情報、その他の被伝達内容（物や、力や光等のエネルギーを含んでよい）を伝達できるような接触（機械的な接触を含んでよい）をこの接触子がしていることを意味してよく、電気的な接触をしている接触子を含んでいてよい。この接触子とは、上述のような接触ができる端子であってよく、電気端子を含んでよい。このような接触子の例としてはコンタクトと呼ばれる物やターミナルと呼ばれる物が含まれていてよい。接触子が露出している第１の開口というのは、上述のような接触子が、外部端子が接続できるように現れていてよく、物理的に露出している場合や何らかのカバーがかかっている場合を含んでいてよい。開口は、上述するような意味を持ち、第１としたのは、別の開口がありそれと区別するためである。
【００２７】
導線が導出されている第２の開口というのは、コネクタが本来接続により伝達する電気信号等を導く線である導線がコネクタ内部から出てくる開口のことであってよく、第２としたのは、前記第１の開口と区別するためである。第２の開口につながる第３の開口を覆ってハウジング本体を蓋するというのは、第２の開口と空間的につながっている第３の開口がハウジング本体にあり、この第３の開口を戸板体が覆って蓋をすることであってよい。即ち、この戸板体は、第２の開口と接する又はと近接するようにハウジング本体を蓋することであってよい。このハウジング本体を蓋する際の戸板体の動作方向とは、ハウジング本体を蓋するように第３の開口を覆う戸板体の動きの方向であってよく、装着方向であってよい。導線がフレキシブルに動く方向とは、導線が第２の開口の面に略平行な方向であってよく、ハウジング本体に含まれるこの第２の開口を規定する周縁部により規定される面内に略含まれる方向であってよい。従って、方向は面内であれば、いかなる向きであってもよい。戸板体の動作方向がこのフレキシブルに動く方向とは異なるということは、戸板体がハウジング本体を蓋する動きの方向が上述のフレキシブルに動く方向とが同一でないことを意味してよい。
【００２８】
戸板体に設けられた第１の凹部とは、例えば、戸板体にある溝のような形状の凹部であってよく、この凹部は以下に述べる凸部等をその凹部の後退部位に嵌め込むことができるものである。ハウジング本体の第１の凸部又は端部が、上記第１の凹部をスライドするということは、ハウジング本体であって、第３の開口近傍に設けられた凸部（他に比べ突出した部分）又はハウジング本体のある部分の端の部分が、上述の第１の凹部の後退部位に嵌め込まれ、この凹部を滑るように動くことであってよい。このとき、上述の第１の凹部又は第１の凸部若しくは端部は、１方向に連続するものであってもよく、断続的にあるものであってもよく（このときは、上記第１の凹部又は第１の凸部若しくは端部が複数存在する場合でもある）、また、所定の長さを持つものであってもよい。
【００２９】
ハウジング本体に設けられた第２の凹部とは、例えば、ハウジング本体にある溝のような形状の凹部であってよく、この凹部は以下に述べる凸部等をその凹部の後退部位に嵌め込むことができるものである。戸板体の第２の凸部又は端部が、第３の開口近傍に設けられた上記第２の凹部をスライドするということは、戸板体の凸部（他に比べ突出した部分）又は戸板体の端の部分が、上述の第２の凹部の後退部位に嵌め込まれ、この凹部を滑るように動くことであってよい。このとき、上述の第２の凹部又は第２の凸部若しくは端部は、１方向に連続するものであってもよく、断続的にあるものであってもよく（このときは、上記第２の凹部又は第２の凸部若しくは端部が複数存在する場合でもある）、また、所定の長さを持つものであってもよい。
【００３０】
第２の開口が仕切壁により第３の開口につながっている第２ａの開口及び第２ｂの開口に分けられるということは、第２の開口が設けられているところに仕切壁が配置され、第２の開口を含む面内にこの壁が延伸し、第２ａの開口及び第２ｂの開口を形成することであってよく、これら両開口が第３の開口に空間的につながっているため、第３の開口を介してこれら両開口がつながっていることを意味してよい。この仕切り壁は、上述の第２の開口を含む面の面厚方向に短く形成されていよく、若しくは、長く形成されていてよい。また、この仕切壁は、ハウジング本体の部品若しくは部分であってよく、別部品であってもよい。
【００３１】
戸板体の第３の凸部若しくは端部をスライドさせる第３の凹部を上記仕切壁が持つというのは、上述の戸板体とハウジング本体との関係と同様の意味であってよい。即ち、仕切壁に設けられた第３の凹部とは、例えば、仕切壁にある溝のような形状の凹部であってよく、この凹部は以下に述べる凸部等をその凹部の後退部位に嵌め込むことができるものである。戸板体の第３の凸部又は端部が、第３の開口近傍に設けられた上記第３の凹部をスライドするということは、戸板体の凸部（他に比べ突出した部分）又は戸板体の端の部分が、上述の第３の凹部の後退部位に嵌め込まれ、この凹部を滑るように動くことであってよい。このとき、上述の第３の凹部又は第３の凸部若しくは端部は、１方向に連続するものであってもよく、断続的にあるものであってもよく（このときは、上記第３の凹部又は第３の凸部若しくは端部が複数存在する場合でもある）、また、所定の長さを持つものであってもよい。
【００３２】
仕切壁の第４の凸部若しくは端部をスライドさせる第４の凹部を上記戸板体が持つというのは、上述のハウジング本体と戸板体との関係と同様の意味であってよい。即ち、戸板体に設けられた第４の凹部とは、例えば、戸板体にある溝のような形状の凹部であってよく、この凹部は以下に述べる凸部等をその凹部の後退部位に嵌め込むことができるものである。仕切壁の第４の凸部又は端部が、上記第４の凹部をスライドするということは、ハウジング本体の部分等である仕切壁にであって、第３の開口近傍に設けられた凸部（他に比べ突出した部分）又は仕切壁のある部分の端の部分が、上述の第４の凹部の後退部位に嵌め込まれ、この凹部を滑るように動くことであってよい。このとき、上述の第４の凹部又は第４の凸部若しくは端部は、１方向に連続するものであってもよく、断続的にあるものであってもよく（このときは、上記第４の凹部又は第４の凸部若しくは端部が複数存在する場合でもある）、また、所定の長さを持つものであってもよい。
【００３３】
戸板体がハウジング本体を蓋する際にこの戸板体を係止させる係止部というのは、戸板体の装着に伴う動作を止める部分であって、例えば、隆起部等により戸板体の進行を妨げるもの等が該当するが、これに限られるものでなく、上記動作を止める機能を持つものなら全て含むことができる。
【００３４】
ハウジング本体と、このハウジング本体を蓋してコネクタとするハウジングパーツからなるコネクタの前駆体とは、コネクタの部品であって、コネクタを形作るものが相当してよく、例えば、ハウジング、筐体、フレーム等が相当してよい。従って、このコネクタ前駆体にその他の部品を組み込んでコネクタが作られる。ハウジング本体とは、ハウジングの主な部品であって、筐体と呼ばれることがあってよく、その他の部品と組み合わさってハウジングを形成するものであってもよい。ハウジング本体を蓋することは、ハウジング本体に開口があり、その開口を覆うことを意味してよい。従って、ハウジング本体を蓋してコネクタとすることは、最終段階若しくはそれに近い段階で蓋をすることによりコネクタが完成することを意味すると考えてもよい。ハウジングパーツとは、ハウジング本体を蓋する部品のことであってよく、プレート状の形状、球状、箱状等あらゆる形の物が含まれてよい。ハウジングパーツはそのボディにより、ハウジング本体の開口を蓋することができてよい。ハウジングパーツの動作方向（「動作方向」）とは、ハウジング本体を蓋するように第３の開口を覆うハウジングパーツの動きの方向であってよく、装着方向であってよい。また、ハウジングパーツを外し始める際の動作方向であってよい。第２開口を押し広げる方向（「押広方向」）とは、第２の開口の面に略平行な方向であってよく、ハウジング本体に含まれるこの第２の開口を規定する周縁部により規定される面内に略含まれる方向であってよい。従って、方向は面内であれば、いかなる向きであってもよい。動作方向がこのフレキシブルに動く方向に対して略直角というのは、ハウジングパーツがハウジング本体を蓋する動きの方向が上述の押広方向に対して略直角であることを意味してよい。このようにすると、押広方向の力がハウジングパーツをハウジング本体から離脱させるのに有効に働かないからである。
【００３５】
ハウジングパーツに設けられた第５の凹部とは、例えば、ハウジングパーツにある溝のような形状の凹部であってよく、この凹部は以下に述べる凸部等をその凹部の後退部位に嵌め込むことができるものである。ハウジング本体の第５の凸部又は端部が、上記第５の凹部をスライドするということは、ハウジング本体であって、第３の開口近傍に設けられた凸部（他に比べ突出した部分）又はハウジング本体のある部分の端の部分が、上述の第５の凹部の後退部位に嵌め込まれ、この凹部を滑るように動くことであってよい。このとき、上述の第５の凹部又は第５の凸部若しくは端部は、１方向に連続するものであってもよく、断続的にあるものであってもよく（このときは、上記第５の凹部又は第５の凸部若しくは端部が複数存在する場合でもある）、また、所定の長さを持つものであってもよい。
【００３６】
ハウジング本体に設けられた第６の凹部とは、例えば、ハウジング本体にある溝のような形状の凹部であってよく、この凹部は以下に述べる凸部等をその凹部の後退部位に嵌め込むことができるものである。ハウジングパーツの第６の凸部又は端部が、第３の開口近傍に設けられた上記第６の凹部をスライドするということは、ハウジングパーツの凸部（他に比べ突出した部分）又はハウジングパーツの端の部分が、上述の第６の凹部の後退部位に嵌め込まれ、この凹部を滑るように動くことであってよい。このとき、上述の第６の凹部又は第６の凸部若しくは端部は、１方向に連続するものであってもよく、断続的にあるものであってもよく（このときは、上記第２の凹部又は第２の凸部若しくは端部が複数存在する場合でもある）、また、所定の長さを持つものであってもよい。
【００３７】
ハウジングパーツの第７の凸部若しくは端部をスライドさせる第７の凹部を上記仕切壁が持つというのは、上述のハウジングパーツとハウジング本体との関係と同様の意味であってよい。即ち、仕切壁に設けられた第７の凹部とは、例えば、仕切壁にある溝のような形状の凹部であってよく、この凹部は以下に述べる凸部等をその凹部の後退部位に嵌め込むことができるものである。ハウジングパーツの第７の凸部又は端部が、第３の開口近傍に設けられた上記第７の凹部をスライドするということは、ハウジングパーツの凸部（他に比べ突出した部分）又はハウジングパーツの端の部分が、上述の第７の凹部の後退部位に嵌め込まれ、この凹部を滑るように動くことであってよい。このとき、上述の第７の凹部又は第７の凸部若しくは端部は、１方向に連続するものであってもよく、断続的にあるものであってもよく（このときは、上記第７の凹部又は第７の凸部若しくは端部が複数存在する場合でもある）、また、所定の長さを持つものであってもよい。
【００３８】
仕切壁の第８の凸部若しくは端部をスライドさせる第８の凹部を上記ハウジングパーツが持つというのは、上述のハウジング本体とハウジングパーツとの関係と同様の意味であってよい。即ち、ハウジングパーツに設けられた第８の凹部とは、例えば、ハウジングパーツにある溝のような形状の凹部であってよく、この凹部は以下に述べる凸部等をその凹部の後退部位に嵌め込むことができるものである。仕切壁の第８の凸部又は端部が、上記第８の凹部をスライドするということは、ハウジング本体の部分等である仕切壁にであって、第３の開口近傍に設けられた凸部（他に比べ突出した部分）又は仕切壁のある部分の端の部分が、上述の第８の凹部の後退部位に嵌め込まれ、この凹部を滑るように動くことであってよい。このとき、上述の第８の凹部又は第８の凸部若しくは端部は、１方向に連続するものであってもよく、断続的にあるものであってもよく（このときは、上記第８の凹部又は第８の凸部若しくは端部が複数存在する場合でもある）、また、所定の長さを持つものであってもよい。
【００３９】
ハウジングパーツがハウジング本体を蓋する際にこのハウジングパーツを係止させる係止部というのは、ハウジングパーツの装着に伴う動作を止める部分であって、例えば、隆起部等によりハウジングパーツの進行を妨げるもの等が該当するが、これに限られるものでなく、上記動作を止める機能を持つものなら全て含むことができる。
【００４０】
外部端子に接続するための接触子と第２の開口から導出されるケーブルとの間に位置する所定の分割面に従ってハウジング本体を蓋するというのは、ハウジング本体とハウジングパーツを分割する観念的な面がこの接触子とこのケーブルの間に位置し、第３の開口を覆ってハウジング本体を蓋する際のハウジングパーツの動作方向（「動作方向」）が、この観念的な面に沿っていることを意味してよい。ここで、観念的な面は、平面だけでなく、湾曲した面や、直線的に曲がった面を含んでよい。従って、通常、動作方向はこの観念的な面と一定の関係を示すことになる。ケーブルと接触子を引き離す方向とは、通常両者を結ぶ直線の方向であるが、これに限られるものではない。即ち、ケーブルと接触子を引き離す結果となる力の向きは、ここでいう引離方向に含まれてよい。
【００４１】
第２の開口から隔たった第３の開口を覆うことにより、ハウジングパーツがハウジング本体を蓋するというのは、第３の開口が第２の開口から独立しており、第２の開口で生じる開口を押し広げる力が第３の開口に及ぶことがなく、ハウジングパーツが第３の開口を蓋することができることを意味してよい。
【００４２】
ハウジング本体が箱状の６面体であり、その第１の面に接触子が、第２の面に第２の開口が、第３の面に第３の開口が配置されているというのは、ハウジング本体又はハウジング自身（ハウジング本体とその他の部品の合体）が箱形状の６面体をしており、６面のいずれかには面材によって覆われていない開口のある面があってもよいが、それらの面のうち１つの面には接触子が、別の１つの面には第２の開口が、また別の１つの面には第３の開口があることを意味してよい。このように３面を使うことにより、コネクタの機能を十分発揮させることができる。
【００４３】
本発明にかかるコネクタは、外部端子に接続され得るが、外部端子に接続されたとき、接続する接触子がこの外部端子に機械的に拘束され、この接触子はコネクタ若しくはハウジング本体に固定されているため、この接触子を介してコネクタ自身がこの外部端子に機械的に拘束され得る。ここでいう機械的な拘束は、コネクタの自由度のうち少なくとも１つをある程度制限することをいってよく、回転の自由度を残したまま１つところに留めることを含んでよく、また、完全に固定することまでを含んでもよい。接触子がコネクタ若しくはハウジング本体に固定されているというのは、ねじや嵌め込み等の機械的な固定を含んでよく、ある程度自由度を持たせた機械的な拘束であってもよい。
【００４４】
第３の開口を覆って前記ハウジング本体を蓋する際の前記ハウジングパーツの動作方向が、外部端子からコネクタを引き離す方向（「引離方向」）に略直角となっているというのは、引離方向に略平行なコネクタを外部端子から外す力の向きが、動作方向に対して略直角であり、コネクタを外部端子から外す行為が、ハウジングパーツの第３の開口を蓋する又は第３の開口の蓋を開ける動作にあまり影響を及ぼさないことを意味してよい。
【００４５】
【発明の実施の形態】
以下、図面を参照し、本発明の実施例を上げつつ、本発明をより詳しく説明するが、本実施例は本発明の好適な例として具体的な形状や材料等をあげたものであるので、本発明は本実施例に限られるものではない。
【００４６】
図１は、本発明の第１の実施例であるコネクタ前駆体及びコネクタ１０を示す。コネクタ１０は、ハウジング本体１２及びその上に位置するハウジングパーツ１４からなるコネクタ前駆体と、接触子１６と、ケーブル（導線を含む）２０と、このケーブル２０をコネクタに接続し、固定するケーブル保持部２２、２４、２６とから構成される。ケーブル保持部は、ケーブル本体を挟みつけると共にアース線をコネクタへと接続する保持部材２２と、信号線をつなぐ信号端子２４と、これら保持部材２２や信号端子２４をコネクタに固定するプラットフォーム２６から構成される。ケーブル２０は、コネクタ１０のハウジング本体１２の半円形の開口１８ａとハウジングパーツの半円形の開口１８ｂとで構成される開口１８（第２の開口）を通って、コネクタ１０から導出される。ハウジングパーツ１４は、ハウジング本体１２に対して、ハウジング本体１２の上端辺２８に沿って、若しくは、上端辺２８が規定する平面（分割面）に従って、スライドし、ハウジング本体の開口（第３の開口）を蓋することにより、コネクタを完成させる。ハウジングパーツ１４が上述のようにハウジング本体上をスライドするときは、後に詳細に述べる構造により、ハウジングパーツはハウジング本体から離れてしまわないようにされている。即ち、ハウジングパーツ１４は、図１において、左右の方向にしかスライドできず、上に動きハウジング本体１２から離れることはできないようにされている。ハウジングパーツ１４が右にスライドする場合が、開口（第３の開口）を蓋する（又は閉じる）場合であり、蓋する方向である。一方、左にスライドする場合は、開口（第３の開口）を開ける場合であり、開ける方向である。これらの方向は互いに平行であり、動作方向ということができる。第３の開口である上端辺２８により規定された開口は、空間的に、ハウジング本体１２の第２の開口である１８ａとつながっており、また、ハウジングパーツ１４の開口である１８ｂともつながっている。第３の開口がハウジング本体１２とハウジングパーツ１４との分割面に相当するからである。
【００４７】
コネクタ１０は、ハウジングパーツ１４が空いている状態で、ケーブル２０をコネクタ内でケーブル保持部に固定し、最後に、ハウジングパーツ１４を右にスライドさせて、第３の開口を蓋することにより、完成される。このとき、完成直前のハウジングパーツ１４の動作方向は、図中水平で右向きである。完成したコネクタ１０は、外部端子（図示せず）に、接触子１６を介して接続される。通常、ハウジングとコネクタ近傍のケーブル２０とは、共に、手に保持されて、外部端子に接触子１６が接続されるように、前後左右上下に動かされつつ接続動作が行われる。従って、手から受けた力によりケーブル２０がハウジングに対して（特に開口１８に対して）動こうとするが、開口１８によりその動きが拘束されるため、開口１８を押し広げる向きにケーブル２０が開口１８の周縁に力を及ぼすこととなる。尚、ケーブル２０をコネクタ１０から抜く（又は押し込む）力も働くが、その方向は、開口１８を押し広げる力とは略直角となるため開口１８の押し広げには実質寄与しないと考えられる。
【００４８】
上述のような力が開口１８に働いた場合、開口１８は押し広げられようとするが、上述したスライド機構は、ハウジングパーツ１４がハウジング本体１２から離れようとする動きを拘束するため、開口１８は押し広げられることはなく、コネクタ１０からハウジングパーツ１４が外れてしまうことは生じにくい。また、上述のスライド機構は、ハウジングパーツ１４が左右に水平に動くことを許容するが、この方向は、開口１８を押し広げる力の方向に略直角であるため、この押し広げる力は、ハウジングパーツ１４を左（又は右）にスライドさせる有効な力になりにくいと考えられる。
【００４９】
図２は、本発明の第２の実施例であるコネクタ前駆体及びコネクタを図解したものである。コネクタ３０は、ハウジング本体３２と、ハウジングパーツ３４等から構成される。ハウジング本体１６には、外部端子に接続される接触子１６が下面に配置されている。ハウジング本体３２の右端辺３８は、開口（第３の開口）を規定しており、また、ハウジング本体３２とハウジングパーツ３４の分割面を規定している。第３の開口には、端子４０、４０があり、ケーブル２０からの信号等を接触子１６へと接続する役割を果たしている。上述の第１の実施例と同様、ハウジングパーツ３４は、この右端辺３８に沿って上にスライドし、第３の開口を蓋することによりコネクタ３０を完成する。ハウジングパーツ３４は、上にスライドしていき、ハウジング本体３２の突起部にぶつかることによりその動きが係止される。従って、この突起部が係止部として機能し、また、ハウジングパーツ３４の上面の蓋としても機能する。ハウジングパーツ３４には、第２の開口１９があり、そこからケーブル２０が導出される。
【００５０】
コネクタ３０は、ハウジングパーツ３４が空いている状態で、ケーブル２０がハウジングパーツ内でケーブル保持部（図示せず）に固定され、最後に、ハウジングパーツ３４を上にスライドさせて、第３の開口を蓋することにより、完成される。このとき、完成直前のハウジングパーツ３４の動作方向は、図中垂直で上向きである。完成したコネクタ３０は、外部端子（図示せず）に、接触子１６を介して接続される。通常、ハウジングとコネクタ近傍のケーブル２０とは、共に、手に保持されて、外部端子に接触子１６が接続されるように、前後左右上下に動かされつつ接続動作が行われる。従って、手から受けた力によりケーブル２０がハウジングに対して（特に開口１９に対して）動こうとするが、開口１９によりその動きが拘束されるため、開口１９を押し広げる向きにケーブル２０が開口１９の周縁に力を及ぼすこととなる。しかし、本実施例では、開口１９には継ぎ目がなく、大変押し広げられにくい。また、ケーブル２０をコネクタ３０から抜く（又は押し込む）力も働くが、その方向は、開口１９を押し広げる力とは略直角となるため開口１９の押し広げには実質寄与しないと考えられる。しかし、ハウジングパーツ３４は、分割面を挟んで、ハウジング本体３２と接続されているため、この分割面での分割が懸念されるが、上述の実施例と同様、スライド機構は、ハウジングパーツ３４がハウジング本体３２から離れることを制限するため、離れにくく、また、第３の開口を蓋する（又は開ける）動作方向は、このケーブルを抜く力の向き（ハウジングパーツ３４とハウジング本体３２を引き離す向きに同じ）と略直角であるため、この力は、ハウジングパーツ３４を下（又は上）にスライドさせる有効な力になりにくいと考えられる。
【００５１】
図３は、本発明の第３の実施例であるコネクタ前駆体及びコネクタ５０を示している。コネクタ５０は、ハウジング本体５２及びその上に位置するハウジングパーツ５４からなるコネクタ前駆体と、接触子１６と、ケーブル（導線を含む）２０と、このケーブル２０をコネクタに接続し、固定するケーブル保持部２２とから構成される。ケーブル保持部は、ケーブル本体を挟みつけると共にアース線をコネクタへと接続する保持部材２２と、信号線をつなぐ信号端子と、これら保持部材２２や信号端子をコネクタに固定するプラットフォームから構成される。ケーブル２０は、コネクタ５０のハウジング本体５２の円形の開口２１（第２の開口）を通って、コネクタ５０から導出される。ハウジングパーツ５４は、ハウジング本体５２に対して、ハウジング本体５２の上端辺２８に沿って、若しくは、上端辺２８が規定する平面（分割面）に従って、スライドし、ハウジング本体の開口（第３の開口）を蓋することにより、コネクタを完成させる。ハウジングパーツ５４が上述のようにハウジング本体上をスライドするときは、後に詳細に述べる構造により、ハウジングパーツはハウジング本体から離れてしまわないようにされている。即ち、ハウジングパーツ５４は、図３において、左右の方向にしかスライドできず、上に動きハウジング本体５２から離れることはできないようにされている。ハウジングパーツ５４が右にスライドする場合が、開口（第３の開口）を蓋する（又は閉じる）場合であり、蓋する方向である。一方、左にスライドする場合は、開口（第３の開口）を開ける場合であり、開ける方向である。これらの方向は互いに平行であり、動作方向ということができる。第３の開口である上端辺２８により規定された開口は、空間的に、ハウジング本体１２の第２の開口である２１とつながっていない。
【００５２】
コネクタ５０は、ハウジングパーツ５４が空いている状態で、ケーブル２０をコネクタ内でケーブル保持部に固定し、最後に、ハウジングパーツ５４を右にスライドさせて、第３の開口を蓋することにより、完成される。このとき、完成直前のハウジングパーツ５４の動作方向は、図中水平で右向きである。完成したコネクタ５０は、外部端子（図示せず）に、接触子１６を介して接続される。通常、ハウジングとコネクタ近傍のケーブル２０とは、共に、手に保持されて、外部端子に接触子１６が接続されるように、前後左右上下に動かされつつ接続動作が行われる。従って、手から受けた力によりケーブル２０がハウジングに対して（特に開口２１に対して）動こうとするが、開口２１によりその動きが拘束されるため、開口２１を押し広げる向きにケーブル２０が開口２１の周縁に力を及ぼすこととなる。しかし、開口２１には継ぎ目が無いため、押し開くことは大変困難である。
【００５３】
図４に、本発明にかかるコネクタ６０の概念を図解する。コネクタ６０は、ハウジング本体とハウジングパーツからなるハウジングを有し、ハウジングの下面には外部端子に接続される接触子１６が配置されている。ハウジングの右面には開口（第２の開口）１８があり、そこから、ケーブル２０が導出される。実施例の概念を示すためにハウジングには、分割ラインが破線６２、一点鎖線６４、点線６６、二点鎖線６８で示されている。分割ラインは、上述の分割面を規定するハウジング外部から見えるラインのことである。破線の分割ライン６２は、図１にあった第１の実施例の場合と同様である。一点鎖線の分割ライン６４及び点線の分割ライン６６は、それを応用した実施例である。これらに共通することは、分割ラインが、第２の開口１８につながっていることである。このようなラインになっているため、開口１８を押し広げる力は、分割面でハウジングを分割する力に通じることとなる。従って、このような分割面をもったハウジングでは、ハウジング本体とハウジングパーツの組み付け方（又は取り外し方）が大変重要となってくる。特に、完成したコネクタから、ハウジングパーツを外す最初の動作方向が重要であり、この方向が、第２の開口を押し広げる力の方向に対して略直角であることが好ましい。押し広げる力がハウジングパーツを外すために有効に働かないようにするためである。尚、ケーブル２０を引き抜く力は、第２の開口１８を押し広げるようには働きにくく、本実施例ではあまり重要ではない。
【００５４】
一方、二点鎖線の分割ライン６８では、第２の開口１８につながっておらず、開口１８を押し広げる力に対して耐性が高い構造となっている。しかし、ケーブル２０を引き抜く力は、第２の開口１８を素通り（本実施例の開口１８はケーブル２０を挟み付けて固定するものではないので）して、接触子１６とケーブル２０を引き離す力として働くことになると考えられる。このとき、分割ライン６８に規定される分割面がこの引き離し方向に略直角であれば、分割面でのすべりを誘発しにくく、ハウジングパーツとハウジング本体との分割はされにくいと考えられる。ただし、ケーブル２０が機械的にハウジングパーツにしっかりと固定されていることが重要である。
【００５５】
図５は、また別の実施例の概念を図解する。コネクタ７０は、ハウジング本体とハウジングパーツからなるハウジングを有し、ハウジングの下面には外部端子に接続される接触子１６が配置されている。ハウジングの右面には開口（第２の開口）２１があり、そこから、ケーブル２０が導出される。実施例の概念を示すためにハウジングには、分割ラインが一点鎖線７２、二点鎖線７４で示されている。分割ラインは、上述の分割面を規定するハウジング外部から見えるラインのことである。一点鎖線の分割ライン７２及び二点鎖線の分割ライン７４は、共に第２の開口２１につながっておらず、開口２１を押し広げる力に対して耐性が高い構造となっている。また、これらの分割ラインで規定される分割面は、ケーブル２０と接触子１６との間に位置していないため、ケーブル２０を引き抜く力が、第２の開口２１を素通り（本実施例の開口１８はケーブル２０を挟み付けて固定するものではないので）しても、分割面に何ら影響を及ぼさないと考えられる。分割ライン７２を用いた実施例としては、図３に上げられたものがある。
【００５６】
図６は、また別の実施例の概念を図解する。コネクタ８０は、ハウジング本体とハウジングパーツからなるハウジングを有し、ハウジングの下面には外部端子に接続される接触子１６が配置されている。ハウジングの右面には開口（第２の開口）２１があり、そこから、ケーブル２０が導出される。実施例の概念を示すためにハウジングには、分割ラインが一点鎖線８２、二点鎖線８８で示されている。分割ラインは、上述の分割面を規定するハウジング外部から見えるラインのことである。一点鎖線の分割ライン８２及び二点鎖線の分割ライン８８は、共に第２の開口２１につながっておらず、開口２１を押し広げる力に対して耐性が高い構造となっている。また、これらの分割ラインで規定される分割面は、ケーブル２０と接触子１６との間に位置していないため、ケーブル２０を引き抜く力が、第２の開口２１を素通り（本実施例の開口１８はケーブル２０を挟み付けて固定するものではないので）しても、分割面に何ら影響を及ぼさないと考えられる。分割ライン８２は、手前の面の中ほどの高さを水平に横切り、右端及び左端の辺を上にその辺にそって上がり、図中のハウジングの上面の右端の辺及び左端の辺に沿ってそれぞれ延び、図中のハウジングの向こう側の面の右端の辺及び左端の辺に沿ってそれぞれ中ほどまで下がり、向こう側の面の中ほどの高さを水平に横切る一点鎖線のにつながって、一周する。このため、分割面は、平面ではなく、コネクタのハウジングの上半分を覆うような角を持つ面になる。このような構造では、コネクタ８０を外部端子から外す力の向きは上向き（矢印８６）であり、本実施例では、上記分割面に従って分割するハウジングパーツを装着又は脱着する向きは左右の向き（矢印８４）であり、お互いに略直角である。そのため、外部端子から引き抜く力は、上述にあるように、ハウジングパーツとハウジング本体を分割するように効果的に働かないと考えられる。
【００５７】
分割ライン８８の場合は、分割面は平面であるが、外部端子から本コネクタ８０を外す向きは上向き（矢印９２）であり、ハウジングパーツ（図中左側のピース）を装着又は脱着する向きは左右の向き（矢印９０）であり、お互いに略直角である。そのため、外部端子から引き抜く力は、上述にあるように、ハウジングパーツとハウジング本体を分割するように効果的に働かないと考えられる。
【００５８】
図７〜１１に、本発明のもう１つの実施例（第５の実施例）であるコネクタの一種である電源ジャックを示す。図７は、ハウジング本体１０１に、ハウジングパーツに相当するカバー１４２が装着されようとするところを示している。ハウジング本体１０１には、図中右上面に開口１１７（第３の開口に相当）があり、この開口１１７を通して正極側と負極側のコンタクト１０３，１０４がハウジング本体内のそれぞれの位置へと挿入される。正極側のコンタクト１０３は、リード線１５１に圧着により接続され、負極側のコンタクト１０４はリード線１５２に圧着により接続される。ハウジング１０１の孔１２７の周縁から断面への字形の薄肉部を延出させたランス１２６が配置されており、負極側のコンタクト１０４を保持する。開口１１７から見える隆起部１１８は、正極側のコンタクト１０３を係止する係止部である。正極側と負極側のコンタクト１０３，１０４は、図７のハウジング本体１０１を下面から見た場合、表壁１０１ａにある開口１０２（第１の開口）から、見ることができる（図９）。第１の開口１０２は、プラグ（外部端子に相当）を差し込む挿入孔である。このプラグ挿入孔１０２にプラグ（図示せず）を差し込むと、正極と負極のコンタクトがプラグと電気的に接続することになる。
【００５９】
ハウジング１０１には、第３の開口１１７の両側縁に沿ってガイド溝１３６（凹部に相当）が一対形成されている。さらに、隔壁１１１（仕切壁に相当）の上面に突設したストッパー１３７（係止部に相当）にもガイド溝１３６（凹部に相当）が一対形成されている（図１０）。角部１３８は、後に述べるように、カバー１４２の脱離する動作方向を係止する係止部として機能する。カバー１４２はハウジング本体１０１の開口１１７を閉塞するカバーで、その両側縁にはスライド突起１４３（凸部に相当）がそれぞれ形成されている。このスライド突起１４３は、カバー１４２の前端に設けたスリット１４４の相互に対向する両面にも形成されている（図１１）。スリット１４４の両側には正極側と負極側のコンタクト１０３，１０４がそれぞれリード線１５１、１５２に圧着により接合される部分との干渉回避用の凹部１４６、１４５が形成されている。さらに、カバー１４２の後端にもスリット１４７が形成されるとともに、このスリット１４７の両側に係止部１４８と突起１４９が配設されている。係止部１４８は、カバー１４２が開口１１７を閉じた時に角部１３８により係止され、カバー１４２の開口１１７を開ける方向の動きを制限する。カバー１４２の肉薄部１５０は、これらの係止部１３８、１４８のラッチ機構を適正に働かせるようにそのばね力を調整すべく、肉薄にされている。
【００６０】
カバー１４２をハウジング本体１０１に装着する場合には、図７に示すようにスライド突起１４３をガイド溝１３６に係合させて、図中矢印方向にカバー１４２をスライドさせる。カバー１４２の前端がストッパー１３７まで達すると、スリット１４４のスライド突起１４３がストッパー１３７のガイド溝１３６に係合する。（このような構造が本発明の実施例に用いられ得るスライド機構の構造である。）その後、係止部１４８の斜面１４８ａが角部１３８に乗り上げて、その垂直面１４８ｂが角部１３８に係合することで、カバー１４２の逆向きの動きが制限される。また、カバー１４２の前進はストッパー１３７によって係止される。従って、カバー１４２は、ハウジング本体１０１の開口１１７を覆った状態で固定される（図８）。
【００６１】
カバー１４２がハウジング本体１０１に係合した状態から（図８）カバー１４２を外すためには、肉薄部１５０を持ち上げ、上述の係合した垂直面１４８ｂと角部１３８を引き離し、少なくとも斜面１４８ａが角部１３８に乗り上げる位置まで、カバー１４２を開ける方向にスライドするとよい。肉薄部１５０の肉厚や巾をスリット１４７の位置等で調整することにより、適切な肉薄部１５０持ち上げ力を持たせることにより、カバー１４２の脱離が生じにくいが、脱着がいつでも可能なハウジング構造（又はコネクタ前駆体構造）を形成することが可能である。カバー１４２の脱着が以上のようなスライドという動作により行われるため、カバーを上に引き剥がすことが大変困難となる。即ち、リード線１５１、１５２は、上下左右前後に動き得るように開口１４０、１４１と２つに分割された上述の第２の開口から隙間が空いた状態で導出されている。上述のように、これらリード線１５１，１５２は、それぞれの開口１４０，１４１に開口を押し広げる向きに力を及ぼすことができる。しかしながら、上述のように、カバー１４２のスライド装着機構により、脱着方向がこの押広方向に対して略直角であるので、カバーを外す力として有効に働きにくく、そのような力ではカバー１４２は外れることはほとんどない。また、本実施例においては、隔壁１１１が第２の開口を２つの開口１４０、１４１にわけ、かつ、その隔壁１１１上部にカバー１４２のスライド突起１４３を係合させるガイド溝１３６を設けているため、開口を押し広げる力に対して更に耐性が向上している。
【００６２】
【発明の効果】
以上のように、本発明のコネクタ及びコネクタ前駆体は、コネクタを使用する時のコネクタに作用する力の種類を分析し、その方向を解析した結果、これらの方向に略直角な方向にコネクタ及びコネクタ前駆体の部品（例えば、戸板体、カバー等）を装着するようにしたため、コネクタ使用時にコネクタが分割若しくは分解してしまうようなことが生じないという優れた効果を有する。また、このように使用時に分解にくいにもかかわらず、いつでも脱着可能なコネクタとすることも可能であり、修理やリサイクルの観点において優れる。また、部品の装着において、適切な係止部を設けておけば、組立が容易に確実に行われるばかりでなく、使用時に突然コネクタが分解することもない。
【図面の簡単な説明】
【図１】  本発明の第１の実施例を示す斜視図である。
【図２】  本発明の第２の実施例を示す斜視図である。
【図３】  本発明の第３の実施例を示す斜視図である。
【図４】  本発明の第１と第２の実施例の概念を示す斜視図である。
【図５】  本発明の第３の実施例の概念を示す斜視図である。
【図６】  本発明の第４の実施例の概念を示す斜視図である。
【図７】  本発明の第５の実施例のを示す斜視図である。
【図８】  図７のコネクタが蓋することにより完成したところを示す斜視図である。
【図９】  図８のコネクタ完成体を別の角度から見たところを示す斜視図である。
【図１０】  図７のコネクタのハウジング本体を示す斜視図である。
【図１１】  本発明の第５の実施例にかかる蓋を図解する斜視図である。
【図１２】  従来からのコネクタを示す斜視図である。
【符号の説明】
１０、３０、５０、６０、７０  コネクタ
１２、３２、５２、１０１  ハウジング本体
１４、３４、５４  ハウジングパーツ
１６  接触子
１８、１９、２１  第２の開口
２０  ケーブル
２８  上端辺
３８  右端辺
１１７  第３の開口
１３６  ガイド溝
１３７  ストッパー
１３８  角部
１４２  カバー
１４３  スライド突起
１４８  係止部
１５１、１５２  リード線
【図１】
0004084079.tif 000002
【図２】
0004084079.tif 000003
【図３】
0004084079.tif 000004
【図４】
0004084079.tif 000005
【図５】
0004084079.tif 000006
【図６】
0004084079.tif 000007
【図７】
0004084079.tif 000008
【図８】
0004084079.tif 000009
【図９】
0004084079.tif 000010
【図１０】
0004084079.tif 000011
【図１１】
0004084079.tif 000012
【図１２】
0004084079.tif 000013